(57)【要約】【課題】メモリーカードの挿入時に生じる挿入抵抗を小さくするメモリーカード及び記録装置を得る。【解決手段】メモリーカード１０の装着時には、記録装置１４の複数のコネクタ１６は、メモリーカード１０の複数の接続端子１２とそれぞれ接触し、メモリーカード１０のメモリーと接続する。この際、それぞれのコネクタ１６は、メモリーカード１０の端部に押されて一度に弾性変形するのではなく、メモリーカード１０の挿入量に応じて相前後して変形する。これにより、挿入抵抗を小さくすることができる。【選択図】　　　図１
2004126792.tif 000002
【特許請求の範囲】
【請求項１】
メモリーカードの表面に配置される複数の接続端子が、記録装置への挿入方向に沿ってずれた配置とされたことを特徴とするメモリーカード。
【請求項２】
メモリーカードの装着時に前記メモリーカードの表面に配置された複数の接続端子とそれぞれ接触し、前記メモリーカードのメモリーと接続する複数のコネクタを備えた記録装置であって、前記コネクタは前記メモリーカードとの接触部が前記メモリーカード挿入方向に沿ってずれた配置とされたことを特徴とする記録装置。
【発明の詳細な説明】
【０００１】
【発明の属する技術分野】
本発明は、メモリーカード及びメモリーカードを挿入して記録情報を読み書きする記録装置に関する。
【０００２】
【従来の技術】
カードエッジコネクタ型メモリーカードとして、図７に示すように、接続端子１０２が一列に並んでいるものが知られている（例えば、特許文献１参照）。図８に示すように、このメモリーカード１００を記録装置１０４に挿入する場合、横一列に並んだコネクタ１０６には、メモリーカード１００を押圧する方向へ付勢力が働くので、この力に抗してメモリーカード１００が挿入されることになる。ここで、接続端子１０２（図７参照）が一列に並んでいると、コネクタ１０６の変形力が一度に生ずることになる。このため、メモリーカード１００の挿入には、大きな挿入抵抗が発生していた。
【０００３】
【特許文献１】
特開平５−７３７３７号公報（第２頁、第１図）
【０００４】
【発明が解決しようとする課題】
本発明は、上記事実を考慮して、メモリーカードの挿入時に生じる挿入抵抗を小さくするメモリーカード及び記録装置を提供することを課題とする。
【０００５】
【課題を解決するための手段】
請求項１に記載する本発明のメモリーカードは、メモリーカードの表面に配置される複数の接続端子が、記録装置への挿入方向に沿ってずれた配置とされたことを特徴とする。
【０００６】
請求項１に記載する本発明のメモリーカードによれば、複数の接続端子が、記録装置への挿入方向に沿ってずれた配置とされているので、このずれに応じて記録装置のコネクタが接触することになる。ここで、ずれた配置とは、一部又は全部がずれた配置をいい、例えば、接続端子の一部分がずれた場合も含む。このように、複数の接続端子を一列に配置せずにずらして配置することで、複数のコネクタが接続端子へ接触するのをずらすことができる。このため挿入抵抗を小さくすることが可能となる。
【０００７】
請求項２に記載する本発明の記録装置は、メモリーカードの装着時に前記メモリーカードの表面に配置された複数の接続端子とそれぞれ接触し、前記メモリーカードのメモリーと接続する複数のコネクタを備えた記録装置であって、前記コネクタは前記メモリーカードとの接触部が前記メモリーカード挿入方向に沿ってずれた配置とされたことを特徴とする。
【０００８】
請求項２に記載する本発明の記録装置によれば、記録装置の複数のコネクタは、メモリーカードの装着時にメモリーカードの複数の接続端子とそれぞれ接触し、メモリーカードのメモリーと接続する。この際、複数のコネクタは、メモリーカードとの接触部がメモリーカード挿入方向に沿ってずれた配置とされているので、接続端子と相前後して接触される。このように、複数のコネクタを一列に配置せずにずらして配置することで、コネクタが相前後して変形することになるので、挿入抵抗を小さくすることができる。
【０００９】
【発明の実施の形態】
本発明におけるメモリーカード及び記録装置の第１の実施の形態を図面に基づき説明する。
【００１０】
図１は、メモリーカードと記録装置の一部との概略斜視図を示している。図１に示すように、メモリーカード１０の表面一部には、導電部である複数の長方形パターンの接続端子１２が配置されている。接続端子１２は、メモリーカード１０の記録装置１４への挿入方向（矢印Ａ方向）に対して垂直な一辺側に配置され、記録装置１４への挿入方向（矢印Ａ方向）に沿って前後にずれた配置とされている。図２は、メモリーカード１０の平面図を示している。図２に示すように、接続端子１２は、この実施例では、それぞれの接続端子１２が交互に相前後してジグザグ状に配置されている。
【００１１】
接続端子１２は、メモリーカード１０内部のメモリー回路（図示省略）と電気的に接続される。それぞれの接続端子１２は、それぞれ別のメモリーへの書き込み及び読み出し用の端子になっている。
【００１２】
一方、図１に示すように、記録装置１４は、本体１４Ａが樹脂等の絶縁体からなる。図１の４−４断面図である図４に示すように、記録装置１４には、本体１４Ａの一側面側からメモリーカード１０を装着するためのソケット部１５が設けられている。ソケット部１５には、メモリーカード１０の挿入用スロットが設けられ、このスロットの上面はガイド部１５Ａとなっており、メモリーカード１０を記録装置１４内部へ導く案内面を形成している。また、ガイド部１５Ａの奥側には、複数のコネクタ１６が、メモリーカード１０の装着位置に対応して設けられ、その各基部１６Ｂが記録装置本体１４Ａに取り付けられている。なお、図１では、コネクタ１６を記録装置１４へ取り付ける基部１６Ｂ（図４参照）は、図示を省略してある。これらのコネクタ１６は、図示しない基板に接続されている。
【００１３】
図１に示すように、コネクタ１６は、弾性力を有する金属板で構成されて板ばね状になっており、半円状に屈曲された先端がメモリーカード１０に対して垂直方向に付勢され、メモリーカード１０が挿入される過程でメモリーカード１０に接触して押圧するようになっている。それぞれのコネクタ１６の接触部１６Ａの位置は、メモリーカード１０の挿入方向（矢印Ａ方向）に沿ってずれており、交互に相前後してジグザグ状に配置されている。
【００１４】
ここで、図３は、図４に至る前の状態、すなわち、メモリーカード１０の挿入時の一過程を示している。図３及び図４に示すように、複数のコネクタ１６は、メモリーカード１０の端部に押されて一度に弾性変形するのではなく、メモリーカード１０の挿入量に応じて相前後して変形するようになっている。
【００１５】
次に、上記の第１の実施形態の作用を説明する。
【００１６】
図１に示すように、メモリーカード１０の装着時には、記録装置１４の複数のコネクタ１６は、メモリーカード１０の複数の接続端子１２とそれぞれ接触し、メモリーカード１０のメモリー（図示省略）と接続する。この際、それぞれのコネクタ１６は、同時でなく相前後して変形する。複数のコネクタ１６は、メモリーカード１０との接触部１６Ａがメモリーカード１０の挿入方向（矢印Ａ方向）に沿って前後にずれた配置とされているからである。これにより、挿入抵抗を小さくすることができ、結果としてメモリーカード１０の装着が容易にできるようになる。
【００１７】
次に、メモリーカード及び記録装置の第２の実施の形態を図５及び図６に基づき説明する。第２の実施の形態は、記録装置のコネクタの接触部が挿入方向に沿ってずれて交互にジグザグ状に配置されている点は、第１の実施の形態と同一であるが、メモリーカードの接続端子の形状及び配置が異なる。
【００１８】
図５は、接続端子１８の配置を示したメモリーカード１０の平面図である。図５に示すように、複数の接続端子１８は長方形パターンとされ、メモリーカード１０の挿入先端部１０Ａ側にある長方形パターンの一辺は、メモリーカード１０の挿入方向（矢印Ａ方向）に垂直で一直線Ｌ上に並んでいる。これに対して、複数の接続端子１８の長方形パターンにおいて、挿入先端部１０Ａ側にある長方形パターンの一辺に平行な他の一辺は、挿入方向（矢印Ａ方向）に沿って前後にずれて交互にジグザグ状になっている。従って、長短２種類の接続端子１８がある。
【００１９】
複数の接続端子１８のうちで、挿入方向（矢印Ａ方向）に沿った長方形パターンの辺の長さが長いものの１つは、ＧＮＤ端子１８Ａとする。図６は、コネクタ１６と接続端子１８との接触状態を示している。前述した通り、コネクタ１６の接触部１６Ａは、図６に示すように、挿入方向（矢印Ａ方向）に沿ってずれて交互にジグザグ状に配置されている。この結果、複数の接続端子１８のうちで先にコネクタ１６と接触するものの１つをＧＮＤ端子１８Ａとすることができる。このように、ＧＮＤ端子１８Ａにコネクタ１６を先に接触させるのは、先にアースを取って挿入時の静電気を放電させるためである。
【００２０】
なお、上記の実施の形態では、接続端子の配置やコネクタの接触部の配置が、交互にジグザグ状である例等を挙げて具体的に説明したが、例えば、２つおきに相前後する等のように、挿入方向に沿ってずれていれば良く、上記実施の形態に限定されない。なお、交互に相前後する配置だけでなく、例えば、階段状にずらした配置等のように３種類以上のずれを設けた配置でも良いことは言うまでもない。
【００２１】
また、上記の実施の形態では、接続端子が長方形パターンの場合を例にとって具体的に説明したが、これに限定されず、円形パターン、三角形パターン、略三角形パターン、五角形以上の多角形パターン、略多角形パターン等でも良く、長方形パターンに限定されない。
【００２２】
さらに、第２の実施形態では、複数の接続端子において、挿入先端部側にある長方形パターンの一辺に平行な他の一辺が、挿入方向に沿って前後にずれて交互にジグザグ状になっているが、この一辺をずらさないことも可能である。なお、この場合、接続端子には、記録装置にメモリーカードが装着された際にコネクタのすべてと接触できるだけの寸法が必要である。
【００２３】
【発明の効果】
以上説明したように、本発明のメモリーカード及び記録装置によれば、メモリーカードの挿入時に生じる挿入抵抗を小さくできるという優れた効果を有する。
【図面の簡単な説明】
【図１】第１の実施の形態に係るメモリーカードと記録装置の一部とを示す概略斜視図である。
【図２】第１の実施の形態に係るメモリーカードを示す平面図である。
【図３】第１の実施の形態に係るメモリーカードの挿入時の一過程を示した断面図である。
【図４】図１の４−４断面図である。
【図５】第２の実施の形態に係るメモリーカードを示す平面図である。
【図６】第２の実施の形態に係るメモリーカードのＧＮＤ端子と記録装置のコネクタとが接触する状態を示す概略斜視図である。
【図７】従来のカードエッジコネクタ型メモリーカードを示す平面図である。
【図８】従来のカードエッジコネクタ型メモリーカードを記録装置に装着した状態を示す側面図である。
【符号の説明】
１０　　メモリーカード
１２　　接続端子
１４　　記録装置
１６　　コネクタ
１６Ａ　接触部
１８　　接続端子
【図１】
2004126792.tif 000003
【図２】
2004126792.tif 000004
【図３】
2004126792.tif 000005
【図４】
2004126792.tif 000006
【図５】
2004126792.tif 000007
【図６】
2004126792.tif 000008
【図７】
2004126792.tif 000009
【図８】
2004126792.tif 000010